(57)【要約】【課題】ファクシミリ通信に関し、大量のＦＡＸデータ又は多数送信者からのＦＡＸデータの受信処理を効率良く実行可能とする。【解決手段】  複数の複合機ＦＡＸによるＧｒｉｄＦＡＸ網と、特定宛先リストとＧｒｉｄＦＡＸリストとを含む電話交換機と、インターネットを介して接続するデータセンターとを含み、特定宛先リストに登録し、且つインターネットに接続可能の利用者のデータ処理装置とを含み、送信者から特定宛先リストに登録された受信者に対するＦＡＸ通信に於いて、電話交換機は、特定宛先リストに登録された送信先に対するＦＡＸ送信について、ＧｒｉｄＦＡＸ網の複合機ＦＡＸを選択して、送信ＦＡＸデータを代行受信させ、代行受信した複合機ＦＡＸは、受信ファクシミリデータを、インターネットを介してデータセンターへ転送し、データセンターからインターネットを介して、送信目的のＧｒｉｄＦＡＸ利用者のデータ処理装置へ転送処理する。【選択図】図２
2014064191.tif 000002
【特許請求の範囲】
【請求項１】
電話交換機による交換接続制御によって接続して、ファクシミリデータを伝送するファクシミリ通信システムに於いて、
複数の複合機ファクシミリ装置を選択接続可能としたグリッドファクシミリ網と、
該グリッドファクシミリ網の利用者を登録する特定宛先リストと、前記グリッドファクシミリ網を構成する複合機ファクシミリ装置の登録リストとを備えた前記電話交換機と、
該電話交換機により選択接続されて前記送信側ファクシミリ装置からのファクシミリデータを代行受信した複合機ファクシミリ装置から、インターネットを介して前記代行受信したファクシミリデータを受信して一時保持し、該ファクシミリデータを、前記インターネットを介して前記特定宛先リストに登録された利用者のデータ処理装置へ転送処理するデータセンターと
を備えたことを特徴とするファクシミリ通信システム。
【請求項２】
前記電話交換機は、前記複合機ファクシミリ装置の登録リストにより選択した複合機ファクシミリ装置のステータス情報を基に、前記送信側ファクシミリ装置からのファクシミリデータの代行受信が可能か否かを判定し、代行受信可能の場合に、該複合機ファクシミリ装置と前記送信側ファクシミリ装置との間の交換接続処理を行う構成を備えたことを特徴とする請求項１記載のファクシミリ通信システム。
【請求項３】
前記データセンターは、前記グリッドファクシミリ網を構成する複合機ファクシミリ装置の登録リストと、送信宛先情報を含むファクシミリデータを受信して一時保持する手段と、該手段に一時保持した前記ファクシミリデータを、前記複合機ファクシミリ装置の登録リストに登録された複合機ファクシミリ装置を選択して、インターネットを介して送信する送信サーバとを備えたことを特徴とする請求項１記載のファクシミリ通信システム。
【請求項４】
電話交換機により交換接続した径路により、ファクシミリデータの送受信処理を行うファクシミリ通信制御方法に於いて、
複数の複合機ファクシミリ装置を選択接続可能としたグリッドファクシミリ網と、特定宛先リストと前記複合機ファクシミリ装置の登録リストとを備えた前記電話交換機と、インターネットを介して接続可能としたデータセンターとを含み、前記電話交換機は、前記送信側ファクシミリ装置からの送信先情報について前記特定宛先リストを参照して、該特定宛先リストに登録されている場合、前記複合機ファクシミリ装置の登録リストを参照して選定した複合機ファクシミリ装置の状態情報が代行受信可能状態を示す時、該複合機ファクシミリ装置を選択接続して、前記送信側ファクシミリ装置からのファクシミリデータを代行受信させる制御過程と、
前記ファクシミリデータを代行受信した前記複合機ファクシミリ装置は、前記インターネットを介して前記データセンターに対して前記代行受信ファクシミリデータを送信する制御過程と、
前記データセンターから前記インターネットを介して前記特定宛先リストに登録した利用者のデータ処理装置に対して前記ファクシミリデータを送信する制御過程と
を含むことを特徴とするファクシミリ通信制御方法。
【発明の詳細な説明】
【技術分野】
【０００１】
本発明は、ファクシミリ装置と、一般の電話網と、複数の複合機ファクシミリ装置を選択接続可能としたグリッドファクシミリ網と、インターネットを介して接続するデータセンターと、ファクシミリデータの送受信処理を可能とする特定宛先のデータ処理装置とを含み、選択接続した複合機ファクシミリ装置を介してファクシミリデータの伝送を行うファクシミリ通信システム及びファクシミリ通信制御方法に関する。
【背景技術】
【０００２】
ファクシミリ装置は、スキャナ機能により文書等を走査して読取った読取情報を含むファクシミリデータの送受信機能を基本的な機能として備えており、電話網を介してファクシミリデータの送受信を行い、受信ファクシミリデータをプリントアウトする構成が一般的である。この場合、送信側ファクシミリ装置と受信側ファクシミリ装置との間を、電話網の交換機の制御によって電話回線により接続し、電話機による通話時と同様に、ファクシミリデータの送受信完了までその接続電話回線を占有する状態とするものである。又ファクシミリデータの送受信の基本的な機能のファクシミリ装置に、複写機と同様の複写機能と、ファクシミリデータを一時的に記憶して、必要に応じて記憶したファクシミリデータの読出しを可能とするメモリ機能と、ファクシミリデータを文字情報に変換する機能と、電話網と共にインターネットとの接続機能等の各種の機能の中の一部或は全部を含む多機能ファクシミリ装置が知られている。この多機能ファクシミリ装置は、ファクシミリ複合機、ＦＡＸ複合機、多機能ＦＡＸ、複合機ＦＡＸ等の各種の名称で知られている。この多機能ファクシミリ装置を、以下主として「複合機ＦＡＸ」と称し、通常のファクシミリ装置を「ＦＡＸ」又は「ＦＡＸ装置」と称し、ファクシミリデータをＦＡＸデータと称することにする。
【０００３】
又電話網を介してＦＡＸデータの伝送を行う一般的な構成に於いては、電話網内の送受信ＦＡＸ装置間を接続した電話回線を占有して、リアルタイムでＦＡＸデータの送受信を行うものである。又インターネットを介してＦＡＸ装置間でＦＡＸデータの送受信を行うことも可能である。例えば、ＦＡＸ装置を、電話網とインターネットとを介して接続可能の構成とし、電話網を介して送信側から受信側へは、ＦＡＸデータの送信を行うことを、例えば、リングバックトーン等のトーン信号により通知し、ＦＡＸデータは、インターネットを介して伝送する手段が各種提案されている（例えば、特許文献１，２参照）。
【０００４】
又大量のＦＡＸデータの受信を行う場合、電話回線とＦＡＸ装置とをそれぞれ増設した構成とすることが考えられる。しかし、大量のＦＡＸデータの送受信を長期間連続して行うことは実際上少ないことから、電話回線とＦＡＸ装置とを増設したシステム構成の場合、使用効率が低いものとなる。そこで、必要最小限の複数のＦＡＸ装置を設け、例えば、各ＦＡＸ装置の負荷状態を相互に通知し、負荷が最小或は比較的軽いＦＡＸ装置を、相互に通知した負荷状態情報を基に、それぞれのＦＡＸ装置に於いて自動的に判別し、負荷が最小或は比較的軽い負荷状態のＦＡＸ装置が受信処理することにより、受信待ち又はプリントアウト待ちの状態を回避或は低減可能とする手段が提案されている（例えば、特許文献３参照）。
【０００５】
又多数の宛先に対する同一内容のＦＡＸデータの送信に於いては、同報機能等により複数の宛先対応に順次送信することが可能である。しかし、宛先数が多数の場合、総ての送信を終了するまでには、順次送受信手順に従った処理が必要であることから、比較的長時間を要する問題がある。そこで、第１のネットワークに接続される送信元の第１のＦＡＸ装置から第２のネットワークに接続される第２のＦＡＸ装置に、同報通信の一部負担を要請し、同報情報と複数の宛先情報とを第２のネットワークを介して伝送して送信依頼を行い、第１のＦＡＸ装置と第２のＦＡＸ装置とによって、それぞれ分担した宛先に対する同報情報の順次送信を行うことにより、ＦＡＸデータの同報送信の処理時間の短縮を図る手段が提案されている（例えば、特許文献４参照）。
【先行技術文献】
【特許文献】
【０００６】
【特許文献１】特開２０００−３３２９４４号公報
【特許文献２】特開２００３−０６０８７１号公報
【特許文献３】特開２００６−１０９３４１号公報
【特許文献４】特開２００７−３２５１２２号公報
【発明の概要】
【発明が解決しようとする課題】
【０００７】
多数の送信ＦＡＸ装置から一時的にＦＡＸデータを受信処理するシステムとして、例えば、商品宣伝による商品受注を、指定期間内に、電話回線によるＦＡＸ通信で受付けるシステム等があり、このようなシステムに於いては、多数の送信側に対して、商品受注側は、話中状態とならないようにすることがサービス上望ましいことである。そこで、電話回線と、その電話回線対応のＦＡＸ装置とを増設して対処することが考えられる。しかし、その受注ＦＡＸデータの受信処理終了後は、大半の電話回線とＦＡＸ装置とは休止状態となり、設備投資効率が低い問題がある。又大量のＦＡＸデータを受信する場合、例えば、Ａ４判用紙対応のＦＡＸデータを受信出力する場合、仮に１分の通信時間を要するものとすると、１時間に６０枚の受信能力があることに相当し、その場合、例えば、１時間に、１０００枚分のＦＡＸデータを受信出力するには、約１７台のＦＡＸ装置と、各ＦＡＸ装置対応の１７本の電話回線とを用意して、それぞれ分担処理することが必要となる。しかし、この場合も、電話回線とＦＡＸ装置との設備増加分は、常時継続して運転状態となるものではないから、設備投資としては効率の悪いものとなる問題がある。このような問題点については、前述の従来例に於いても、提起はされておらず、且つ解決手段も提起されていない。
【０００８】
本発明は、多数のＦＡＸデータの送信元又は大量のＦＡＸデータの送信元に対して、グリッドＦＡＸ網を構成する複合機ＦＡＸを選択接続して代行受信を行わせ、この代行受信によるＦＡＸデータを、データセンターを介して特定宛先の利用者のＦＡＸデータ受信処理機能を有するデータ処理装置に転送可能とすることにより、その特定宛先の利用者は、大規模の設備投資を行うことなく、多数の送信元からのＦＡＸデータを順次受信処理することを目的とするものである。
【課題を解決するための手段】
【０００９】
本発明のファクシミリ通信システムは、ファクシミリデータを伝送するファクシミリ通信システムであって、複数の複合機ファクシミリ装置を選択接続可能としたグリッドファクシミリ網と、該グリッドファクシミリ網の利用者を登録する特定宛先リストと、前記グリッドファクシミリ網を構成する複合機ファクシミリ装置の登録リストとを備えた前記電話交換機と、該電話交換機により選択接続されて前記送信ファクシミリ装置からのファクシミリデータを代行受信した複合機ファクシミリ装置から、インターネットを介して前記代行受信したファクシミリデータを受信して一時保持し、該ファクシミリデータを、前記インターネットを介して前記特定宛先リストに登録された利用者のデータ処理装置へ転送処理するデータセンターとを備えている。
【００１０】
又前記電話交換機は、前記複合機ファクシミリ装置の登録リストにより選択した複合機ファクシミリ装置のステータス情報を基に、前記送信側ファクシミリ装置からのファクシミリデータの代行受信が可能か否かを判定し、代行受信可能の場合に、該複合機ファクシミリ装置と前記送信側ファクシミリ装置との間の交換接続処理を行う構成を備えている。
【００１１】
又前記データセンターは、前記グリッドファクシミリ網を構成する複合機ファクシミリ装置の登録リストと、送信宛先情報を含むファクシミリデータを受信して一時保持する手段と、該手段に一時保持した前記ファクシミリデータを、前記複合機ファクシミリ装置のリストに登録された複合機ファクシミリ装置を選択して、インターネットを介して送信する送信サーバとを備えている。
【００１２】
本発明のファクシミリ通信制御方法は、電話交換機により交換接続した径路により、ファクシミリデータの送受信処理を行うファクシミリ通信制御方法であって、複数の複合機ファクシミリ装置を選択接続可能としたグリッドファクシミリ網と、特定宛先リストと前記複合機ファクシミリ装置の登録リストとを備えた前記電話交換機と、インターネットを介して接続可能としたデータセンターとを含み、前記電話交換機は、前記送信側ファクシミリ装置からの送信先情報について前記特定宛先リストを参照して、該特定宛先リストに登録されている場合、前記複合機ファクシミリ装置の登録リストを参照して選定した複合機ファクシミリ装置の状態情報が代行受信可能状態を示す時、該複合機ファクシミリ装置を選択接続して、送信側ファクシミリ装置からのファクシミリデータを代行受信させる制御過程と、前記ファクシミリデータを代行受信した前記複合機ファクシミリ装置は、前記インターネットを介して前記データセンターに対して前記代行受信ファクシミリデータを送信する制御過程と、前記データセンターから前記インターネットを介して前記特定宛先リストに登録した利用者のデータ処理装置に対して前記ファクシミリデータを送信する制御過程とを含むものである。
【発明の効果】
【００１３】
一時的に多数の送信者又は大量のファクシミリデータの送信者からのファクシミリデータの受信処理を行う場合、電話網に接続されている送信側ファクシミリ装置からのファクシミリデータを、グリッドファクシミリ網を構成する複合機ファクシミリ装置の中の送受信可能の複合機ファクシミリ装置を、電話網を介して選択接続して代行受信させ、この代行受信ファクシミリデータを、インターネットを介してデータセンターへ転送して、このデータセンターから、インターネットを介して、特定宛先リストに登録した利用者のデータ処理装置へ順次転送することが可能であるから、多数の送信側ファクシミリ装置に対する話中状態となることを回避できることにより、受信処理設備を増設を行うことなく、サービス向上を図ることができる。
【図面の簡単な説明】
【００１４】
【図１】本発明の原理説明図である。
【図２】本発明の実施例１のファクシミリデータの伝送処理構成の説明図である。
【図３】本発明の実施例１のグリッドファクシミリ網の説明図である。
【図４】本発明の実施例１の呼制御メッセージの一例の説明図である。
【図５】本発明の実施例１のファクシミリデータの伝送処理のフローチャートである。
【図６】本発明の実施例２のファクシミリデータの受信処理の説明図である。
【発明を実施するための形態】
【００１５】
本発明のファクシミリ通信システムは、図２を参照して説明すると、電話交換機（１２）による交換接続制御によって接続して、ファクシミリデータを伝送するファクシミリ通信システムに於いて、複数の複合機ファクシミリ装置（複合機ＦＡＸ１７）を選択接続可能としたグリッドファクシミリ網（ＧｒｉｄＦＡＸ網１８）と、該グリッドファクシミリ網（１８）の利用者を登録する特定宛先リスト（１５）と、グリッドファクシミリ網（ＧｒｉｄＦＡＸ網１８）を構成する複合機ファクシミリ装置（複合機ＦＡＸ１７）の登録リストとを備えた電話交換機（１２）と、この電話交換機（１２）により選択接続されて前記送信ファクシミリ装置からのファクシミリデータを代行受信した複合機ファクシミリ装置（複合機ＦＡＸ１７）から、インターネット（１９）を介して前記代行受信したファクシミリデータを受信して一時保持し、このファクシミリデータを、前記インターネット（１９）を介して前記特定宛先リスト（１５）に登録された利用者のデータ処理装置（２１）へ転送処理するデータセンター（２０）とを備えている。
【００１６】
本発明のファクシミリ通信制御方法は、図２を参照して説明すると、電話交換機（１２）により交換接続した径路により、ファクシミリデータの送受信処理を行うファクシミリ通信制御方法に於いて、複数の複合機ファクシミリ装置（複合機ＦＡＸ１７）を選択接続可能としたグリッドファクシミリ網（ＧｒｉｄＦＡＸ網１８）と、特定宛先リスト（１５）及び前記複合機ファクシミリ装置（複合機ＦＡＸ１７）のリスト（ＧｒｉｄＦＡＸリスト１６）を備えた前記電話交換機（１２）と、インターネット（１９）を介して接続可能としたデータセンター（２０）とを含み、前記電話交換機（１２）は、前記送信側ファクシミリ装置からの送信先情報について前記特定宛先リスト（１５）を参照して、該特定宛先リスト（１５）に登録されている場合、複合機ファクシミリ装置（複合機ＦＡＸ１７）の登録リスト（ＧｒｉｄＦＡＸリスト１６）を参照して、その登録リストに登録されている場合、前記複合機ファクシミリ装置（複合機ＦＡＸ１７）の登録リスト（ＧｒｉｄＦＡＸリスト１６）を参照して選定した複合機ファクシミリ装置（複合機ＦＡＸ１７）の状態情報が代行受信可能状態を示す時、該複合機ファクシミリ装置（複合機ＦＡＸ１７）を選択接続して、前記送信側ファクシミリ装置（ＦＡＸ１１）からのファクシミリデータを代行受信させる制御過程と、ファクシミリデータを代行受信した前記複合機ファクシミリ装置（複合機ＦＡＸ１７）は、前記インターネット（１９）を介して前記データセンター（２０）に対して前記代行受信ファクシミリデータを送信する制御過程と、前記データセンター（２０）からインターネット（１９）を介して、前記特定宛先リスト（１５）に登録した利用者のデータ処理装置（２１）に対して前記ファクシミリデータを送信する制御過程とを含むものである。
【実施例１】
【００１７】
図１は、本発明の原理説明図であり、（１）は一般ユーザのファクシミリ送受信を行うＦＡＸ装置（ＦＡＸ）、（２）は交換機を含む公衆電話回線網、（３）は複数の複合機ＦＡＸにより構成されたＧｒｉｄＦＡＸ網（グリッドファクシミリ網）、（４）はインターネット、（５）はデータセンター、（６）はファクシミリデータの送受信機能を有するデータ処理装置を示す。公衆電話回線網（２）は、複数のユーザの電話機間及びＦＡＸ装置間の接続制御を行う交換機を含み、その交換機の制御装置は、発信者からの相手加入者の番号（ダイヤル番号、電話番号、ＦＡＸ番号等と称されている）に基づいて交換接続制御処理を行う一般的な交換接続制御機能を有すると共に、フリーダイヤル（登録商標）ＦＤやフリーコール（登録商標）ＦＣ等の各種の接続サービスに対応した交換接続制御機能を備えており、更に、本発明に於いては、ＧｒｉｄＦＡＸ網（３）を構成する複数の複合機ＦＡＸの登録、抹消等の処理や複合機ＦＡＸが利用可能か否かの状態情報等についても管理処理を行う機能、及び特定利用者のデータ処理装置（６）を特定宛先リストに登録管理する機能等を備えている。
【００１８】
又ＧｒｉｄＦＡＸ網（３）を構成する複数の複合機ＦＡＸは、公衆電話回線網の交換機に、予めＦＡＸデータの代行受信が可能であることを登録するもので、交換機は、その登録受付けにより、ＧｒｉｄＦＡＸリストに、インターネット（４）を介して接続されるデータセンター（５）のＵＲＬ（Ｕｎｉｆｏｒｍ  Ｒｅｓｏｕｅｃｅ  Ｌｏｃａｔｏｒ）を通知し、登録複合機ＦＡＸに、そのＵＲＬを保持させる。それによって、登録複合機ＦＡＸは、そのＵＲＬを用いて、代行受信したＦＡＸデータを、インターネット（４）を介してデータセンター（５）へ転送することができる。
【００１９】
ＧｒｉｄＦＡＸ網（３）の複合機ＦＡＸにより代行受信したＦＡＸデータに、特定宛先としての最終宛先情報として、ＧｒｉｄＦＡＸ網（３）を利用してＦＡＸデータを受信するデータ処理装置（６）の電話番号やＵＲＬを付加することにより、データセンター（５）は、複合機ＦＡＸによって代行受信したＦＡＸデータを、インターネット（４）を介して、ＧｒｉｄＦＡＸ利用者のデータ処理装置（６）に対して転送することができる。又はＧｒｉｄＦＡＸ利用者のデータ処理装置（６）の電話番号やＵＲＬを、特定利用者として交換機に登録すると共に、データセンター（５）にも登録することができる。又ＧｒｉｄＦＡＸ網（３）は、単一の交換機による公衆電話回線網に接続可能の複合機ＦＡＸによって構成される場合のみでなく、複数の交換機が中継回線を介して接続されている場合も、単一又は複数の交換機によるＧｒｉｄＦＡＸ網の管理構成を適用することができる。又単一のＧｒｉｄＦＡＸ網（３）の場合のみでなく、複数のＧｒｉｄＦＡＸ網を構成することも可能である。なお、ＧｒｉｄＦＡＸ網（３）を利用しない一般的なＦＡＸデータの伝送は、点線矢印で示す通常のＦＡＸ送受信として示す公衆電話回線網（２）を介した経路によって実行される。例えば、ＧｒｉｄＦＡＸ利用者のデータ処理装置（６）から一般ユーザのＦＡＸ装置（１）に対する応答は、点線矢印の径路で伝送することができる。或は、実線矢印の径路のインターネット（４）、データセンター（５）、インターネット（４）、ＧｒｉｄＦＡＸ網（３）、公衆電話回線網（２）を介して応答を伝送することも可能である。
【００２０】
図２は、本発明の実施例１の説明図であり、１１は送信者のＦＡＸ（送信側）、１２は電話交換機、１３，１４は公衆電話回線網、１５は特定宛先リスト、１６はＧｒｉｄＦＡＸリスト、１７は複合機ＦＡＸ、１８はＧｒｉｄＦＡＸ網、１９はインターネット、２０はデータセンター、２１は特定宛先リストに登録したＧｒｉｄＦＡＸ網利用者のデータ処理装置を示す。このデータ処理装置２１は、多数の送信者からのＦＡＸデータを受信することが予定されている場合、或は、大量のＦＡＸデータの受信が予定されている場合等に於いて、電話交換機１２の特定宛先リスト１５に予め登録する。なお、この特定宛先リスト１５の登録内容は、例えば、ＦＡＸ受信側としての電話番号（ＦＡＸ番号）やＵＲＬ等を含めることができる。
【００２１】
又ＧｒｉｄＦＡＸ網１８を構成する各複合機ＦＡＸ１７は、代行受信可能として電話交換機１２のＧｒｉｄＦＡＸリスト１６に予め登録する。このＧｒｉｄＦＡＸリスト１６には、登録した複合機ＦＡＸ１７のＦＡＸ番号と共に代行受信可能の状態か否かの状態情報等についても管理する。この複合機ＦＡＸ１７を、代行受信可能として登録した場合、代行受信したＦＡＸデータを、インターネット１９を介して転送するデータセンター２０のＵＲＬを、電話交換機１２から複合機ＦＡＸ１７に通知して保存させる。又データセンター２０は、インターネット１９を介して受信したＦＡＸデータを一時保持する記憶手段と、この記憶手段に記憶したＦＡＸデータを、インターネット１９を介してＧｒｉｄＦＡＸ利用者のデータ処理装置２１へ転送する手段とを含む構成を備え、ＧｒｉｄＦＡＸ利用者のデータ処理装置２１については、予め登録するか、又は記憶手段に記憶したＦＡＸデータに付加された特定宛先リスト１５に登録されているＦＡＸ番号等を基に、ＧｒｉｄＦＡＸ利用者のデータ処理装置２１のＵＲＬを予め求めて保存する。又データ処理装置２１は、受信したＦＡＸデータの記憶保持手段と受信ＦＡＸデータを処理する利用者アプリとして示す処理プログラムの実行手段とを含み、受信ＦＡＸデータのプリントアウト、データ解析、応答処理等を行うことができる。なお、実線矢印径路は、前述のＧｒｉｄＦＡＸ送受信、点線矢印径路は、通常のＦＡＸ送受信のそれぞれの流れを示す。又複数のそれぞれ異なるＧｒｉｄＦＡＸ利用者のデータ処理装置が存在する場合は、電話交換機１２の特定宛先リスト１５とＧｒｉｄＦＡＸリスト１６、代行受信可能を登録した複合機ＦＡＸ１７、データセンター２０には、それぞれ複数のＧｒｉｄＦＡＸ利用者対応に、代行受信ＦＡＸデータの受信処理や転送処理を行う為の電話番号（ＦＡＸ番号）やＵＲＬ等を記憶保持させるものである。
【００２２】
電話交換機１２は、送信者のＦＡＸ１１からの送信宛先情報（ダイヤル情報）を基に、回線接続制御処理を行い、送信終了により、接続した経路を開放する制御処理構成については、一般の電話交換接続処理と同様である。従って、一般のＦＡＸ送信は、送信宛先情報（ダイヤル情報）に従って、例えば、点線矢印の径路を形成するような回線接続処理を行い、送信終了により、回線解放処理を行う。又ＧｒｉｄＦＡＸ利用者のデータ処理装置２１にＦＡＸデータを送信する場合、そのデータ処理装置２１の宛先情報が特定宛先リスト１５に登録されている場合は、ＧｒｉｄＦＡＸリスト１６を検索して、代行受信可能の複合機ＦＡＸ１７を選択し、この選択した複合機ＦＡＸ１７と送信者のＦＡＸ１１との間の回線接続処理を行う。それにより、送信者のＦＡＸ１１からのＦＡＸデータは、選択接続した複合機ＦＡＸ１７により代行受信される。
【００２３】
送信者のＦＡＸ１１からのＦＡＸデータの代行受信を行った複合機ＦＡＸ１７は、送信者情報や送信宛先情報を含む代行受信ＦＡＸデータを、代行受信可能として登録した時に通知されたデータセンター２０のＵＲＬを基に、インターネット１９を介してデータセンター２０へ転送する。このデータセンター２０は、複数の送信者からの送信者情報を含むＦＡＸデータと送信宛先情報とを一時保持する手段を備え、その送信宛先情報を基に、インターネット１９を介して、送信宛先のＧｒｉｄＦＡＸ利用者のデータ処理装置２１に対してＦＡＸデータを転送する。従って、複数の送信者のＦＡＸから特定のＧｒｉｄＦＡＸ利用者のデータ処理装置２１に対するＦＡＸデータの送信要求に対して、電話交換機１２の制御処理によって、ＧｒｉｄＦＡＸ網１８の複数の複合機ＦＡＸ１７をそれぞれ選択接続することにより、複数の送信者対応に複数の複合機ＦＡＸがそれぞれＦＡＸデータの代行受信を行うことが可能であり、又受信終了或は受信中に各複合機ＦＡＸからインターネット１９を介して、データセンター２０へ、送信者情報と送信宛先情報とを含む受信ＦＡＸデータを順次転送し、データセンター２０は、受信保持したＦＡＸデータを、順次インターネット１９を介してＧｒｉｄＦＡＸ利用者のデータ処理装置２１へ転送する。このデータ処理装置２１は、受信ＦＡＸデータの保存蓄積、統計処理や解析処理、処理結果等をディスプレイに表示、送信者に対する受信応答の処理等を実行することができる。
【００２４】
前述のように、ＧｒｉｄＦＡＸ利用者のデータ処理装置２１は、多数の電話回線を増設することなく、ＧｒｉｄＦＡＸ網１８の中の選択接続された複数の複合機ＦＡＸ１７により、複数の送信者からのＦＡＸデータをそれぞれ代行受信することが可能であり、その代行受信ＦＡＸデータは、順次データセンター２０へ転送して保持し、この代行受信ＦＡＸデータを、順次ＧｒｉｄＦＡＸ利用者のデータ処理装置２１へインターネット１９を介して転送することにより、ＧｒｉｄＦＡＸ利用者は、大きな設備投資を行うことなく、サービス向上を図ることが可能となる。又代行受信ＦＡＸデータに、送信者情報を含めて転送することにより、それぞれの送信者に対して、ＧｒｉｄＦＡＸ利用者のデータ処理装置２１は、送信ＦＡＸデータの受信通知等の応答処理を行うことができる。この場合の応答処理は、ＧｒｉｄＦＡＸ網１８を経由する径路によって各送信者に対して行うことも可能であり、又点線径路で示す通常のＦＡＸ送受信の径路を介して受信応答を送信することも可能である。
【００２５】
図３は、グリッドファクシミリ網の説明図であり、各地に分散配置された複数の複合機ＦＡＸ１，ＦＡＸ２，ＦＡＸ３，ＦＡＸ４，・・・によりＧｒｉｄＦＡＸ網を構成した場合を示し、これらの複合機ＦＡＸについて、図２に於ける電話交換機１２に設けたＧｒｉｄＦＡＸリスト１６の登録内容の一例を示す。このＧｒｉｄＦＡＸリストは、識別子ＩＤ、ＦＡＸ番号、メーカ、機種、ステータス情報ＳＴ等を含み、識別子ＩＤは、ＧｒｉｄＦＡＸ網の複合機ＦＡＸ１、複合機ＦＡＸ２、・・・等を１，２，・・・とした場合を示し、又ＦＡＸ番号は、電話番号と同様な番号体系を有するものとし、図示の場合、ランダム数字による一例を示す。又メーカは複合機ＦＡＸのメーカを記号で示し、機種は複合機ＦＡＸの機種名に相当する記号で示す。又ステータス情報ＳＴは、“０”を利用可能状態、“１”を使用中や障害発生等による利用不可能の状態とした場合を示す。
【００２６】
このステータス情報ＳＴは、例えば、図２に於ける電話交換機１２により選択した複合機ＦＡＸが代行受信可能か否かの状態を示すもので、複合機ＦＡＸからの一時的な使用回避要求や障害発生等の状態の場合、使用可能の状態を示す“０”から、使用不可能の状態を示す“１”に変更処理する。或いは、内部機能の監視手段により、異常個所が発生した場合等に於いても、使用不可能を示す“１”に変更する。なお、メーカ名と機種名とは、ＧｒｉｄＦＡＸ網内の複合機ＦＡＸをグループ化する場合等に利用することができるが、省略することも可能である。又ステータス情報ＳＴは、省略して、選択した時の複合機ＦＡＸに対して、電話交換機からステータスチェック応答を要求し、その要求に応じて、複合機ＦＡＸ内のステータスチェックの結果を応答情報として電話交換機に送出する処理を行うことにより、電話交換機からの問い合わせに従った現在の状態を示す構成とすることも可能である。
【００２７】
図４は、呼制御メッセージの一例の要部を示し、電話交換機間の制御信号線等により転送されるもので、先頭と後尾とのフラグ間に配置された情報として、共通部と個別部とを含み、例えば、共通部は、プロトコル識別子と、呼番号と、メッセージ種別とから構成され、個別部は、各情報要素として示すように、発信者番号、代行受信フラグ、送信宛先等を含めることができる。
【００２８】
図５は、本発明のファクシミリ通信制御方法の実施例１の処理フローの要部を示す。この処理フローは、前述の図２に於ける送信側のＦＡＸ１１と、電話交換機１２と、ＧｒｉｄＦＡＸ網１８を構成する複合機ＦＡＸ１７とについての処理フローの要部を示すもので、送信側のＦＡＸ１１は、呼出時に、ＦＡＸ受信者としてのＧｒｉｄＦＡＸ利用者のデータ処理装置２１のＦＡＸ番号を含む接続要求の信号を送出する。電話交換機１２は、その呼出信号を受信して、特定宛先照合の処理、即ち、特定宛先リスト１５に登録されているＧｒｉｄＦＡＸ利用者のデータ処理装置２１を宛先としたものであるか否かの照合を行い、照合しない場合は、一般の加入者宛であるから、通常の交換接続処理を行う。
【００２９】
又特定宛先照合処理に於いて、特定宛先リスト１５に登録さているＧｒｉｄＦＡＸ利用者のデータ処理装置２１をＦＡＸ送信先としている場合、照合ＯＫとなり、ＧｒｉｄＦＡＸリスト１６を参照して、複合機ＦＡＸの選択を行い、選択した複合機ＦＡＸの呼出しを行って、ＧｒｉｄＦＡＸ網内の選択された複合機ＦＡＸに対して、呼出しを行う。この呼出しのメッセージには、最終送信先のＧｒｉｄＦＡＸ利用者のデータ処理装置２１（図２参照）を示す送信宛先情報やデータセンター２０のＵＲＬ等を含めることができ、複合機ＦＡＸは、この呼出しを受信して、送信宛先書出しとして示すように、送信宛先として、ＧｒｉｄＦＡＸ利用者のデータ処理装置２１宛てを示す情報とデータセンター２０のＵＲＬを含めて記録する。そして、代行受信可能の状態か否かのステータスチェックを行い、そのチェック結果をステータス情報として電話交換機に返送する。
【００３０】
電話交換機１２は、ステータス情報を受信して、代行受信可能か否かを判定し、代行受信可能でない場合は、複合機ＦＡＸの選択をやり直して、新たに選択した複合機ＦＡＸのステータス情報の受信判定処理を行う。又ステータス情報が代行受信可能を示す場合、送信側のＦＡＸ１１と、選択した複合機ＦＡＸ１７との間の回線を設定し、送信側のＦＡＸ１１に準備ＯＫを通知する。それにより、送信側のＦＡＸ１１は、ＦＡＸデータの送信を開始する。複合機ＦＡＸは、ＦＡＸデータを受信し、一旦蓄積するか、又は受信終了により、データセンター２０にインターネット１９を介して送信し、送信側のＦＡＸ１１に対しては、ＦＡＸデータの受信を示すリターン情報を送信する。このリターン情報により、送信側のＦＡＸ１１は、正常送信終了と判断できる。又データセンター２０は、前述のように、受信ＦＡＸデータを、一旦蓄積し、インターネット１９を介して、ＧｒｉｄＦＡＸ利用者のデータ処理装置２１に対して送信する。複数の複合機ＦＡＸ１７の何れかが代行受信可能の状態である場合が殆どであるから、ＧｒｉｄＦＡＸ利用者２１に対するＦＡＸ送信が集中しても、何れかの複合機ＦＡＸ１７が代行受信可能の状態であり、話中状態となることは大幅に回避可能とすることができる。
【実施例２】
【００３１】
図６は、本発明の実施例２の説明図であり、図２に示す実施例１の伝送径路とは逆の伝送径路によるＦＡＸ送信の場合に相当し、２２は送信サーバ、２３はＧｒｉｄＦＡＸリストを示し、その他の図２と同一符号は同一名称部分を示す。この実施例２に於いては、前述の実施例１に於ける最終受信者のＧｒｉｄＦＡＸ利用者のデータ処理装置２１が送信者、公衆電話回線網１３に接続された送信者のＦＡＸ１１が、この実施例２の受信者のＦＡＸ１１として、ＦＡＸデータの送受信を行う場合を示す。ＧｒｉｄＦＡＸ利用者のデータ処理装置２１の利用者アプリ（利用者アプリケーション）により、宛先情報として受信側のＦＡＸ番号を付加したＦＡＸデータを、データセンター２０のＵＲＬを用いて、インターネット１９を介してデータセンター２０へ送信する。データセンター２０は、前述の実施例１に於けるデータセンターと同様に、ＦＡＸデータの送受信処理機能と記憶手段とを含み、更に受信者を示す宛先情報の記憶手段と、送信サーバ２２とＧｒｉｄＦＡＸリスト２３とを含む構成を備えている場合を示す。
【００３２】
データセンター２０は、ＧｒｉｄＦＡＸ利用者のデータ処理装置２１からインターネット１９を介して転送されたＦＡＸデータを一時保持し、その宛先情報と共に送信サーバ２２へ転送する。送信サーバ２２は、ＧｒｉｄＦＡＸ利用者のデータ処理装置２１からのＦＡＸ送信であることを識別すると、ＧｒｉｄＦＡＸリスト２３を参照して、ＧｒｉｄＦＡＸ網１８の中の複合機ＦＡＸ１７を選択し、その選択した複合機ＦＡＸ１７に、ＧｒｉｄＦＡＸ利用者のデータ処理装置２１からの宛先情報を含むＦＡＸデータを、インターネット１９を介して転送する。選択された複合機ＦＡＸは、ＦＡＸデータを受信して一時保持し、電話交換機１２と公衆電話回線網１３，１４とを含む電話交換網へ送出する。
【００３３】
その場合、ＦＡＸデータに付加された宛先情報を、ダイヤル情報として最初に送信し、電話交換機１２からの応答信号を受信して、受信者のＦＡＸ１１宛のＦＡＸデータを送信する。それにより、この受信者へ、前述の実施例１に於けるＦＡＸデータ送信に対するＧｒｉｄＦＡＸ利用者のデータ処理装置２１からの応答情報等の各種の情報を、ＦＡＸ情報として送信することができる。又データセンター２０の送信サーバ２２は、一時的に受信保持したＦＡＸデータの送信宛先が複数の場合、ＧｒｉｄＦＡＸリスト２３を参照して、送信宛先数に対応したＧｒｉｄＦＡＸ網１８内の複数の複合機ＦＡＸ１７を順次選択して、インターネット１９を介して順次転送し、各複合機ＦＡＸ１７から順次複数の受信者のＦＡＸ宛に送信する制御処理を行うことも可能である。なお、データセンター２０とＧｒｉｄＦＡＸ網１８とを介することなく、点線径路による電話交換網を介してＦＡＸデータを送信することも可能である。
【符号の説明】
【００３４】
１１  送信者のＦＡＸ
１２  電話交換機
１３，１４  公衆電話回線網
１５  特定宛先リスト
１６  ＧｒｉｄＦＡＸリスト
１７  複合機ＦＡＸ
１８  ＧｒｉｄＦＡＸ網
１９  インターネット
２０  データセンター
２１  データ処理装置
【図１】
2014064191.tif 000003
【図２】
2014064191.tif 000004
【図３】
2014064191.tif 000005
【図４】
2014064191.tif 000006
【図５】
2014064191.tif 000007
【図６】
2014064191.tif 000008